(57)【要約】      （修正有）【課題】写真の交換作業がやりやすく、さらに壁面に取り付けた際に見栄えよく取り付けることができるフォトフレームを提供する。【解決手段】フォトフレーム１は、写真が展示される側を前側とし、その裏を後側とするフレーム本体５と、フレーム本体を形成し、前後方向にそれぞれ並べて配されている前層２、中層３、後層４と、前層の略中央部を貫通して形成され、写真の出し入れを行うための開口部６と、中層の略中央部を貫通して前層の開口部６よりも拡大して形成され、写真を収容するための収容部７と、中層の周縁部を切欠いて形成され、フレーム本体を取り付け面に固定するための治具の一部を受容する受容部と、後層を切欠いて受容部と連通する治具導入部とを備えている。【選択図】図１
0003196195.tif 000002
【実用新案登録請求の範囲】
【請求項１】
写真が展示される側を前側とし、その裏を後側とするフレーム本体と、
該フレーム本体を形成し、前後方向にそれぞれ並べて配されている前層、中層、後層と、
前記前層の略中央部を貫通して形成され、前記写真の出し入れを行うための開口部と、
前記中層の略中央部を貫通して前記開口部よりも拡大して形成され、前記写真を収容するための収容部と、
前記中層の周縁部を切欠いて形成され、前記フレーム本体が取り付けられるべき取り付け面に固定するための取り付け治具の一部を受容する受容部と、
前記後層を切欠いて前記受容部と連通する導入部とを備えたことを特徴とするフォトフレーム。
【請求項２】
前記受容部及び導入部は、前記中層及び後層の外縁よりも内側に形成されていることを特徴とする請求項１に記載のフォトフレーム。
【請求項３】
前記導入部は、前記受容部に受容された前記取り付け治具の一部を前記フレーム本体の後ろ側から覆う覆い片を有していることを特徴とする請求項１又は２に記載のフォトフレーム。
【請求項４】
前記後層の前記フレーム本体に対する背面には、マグネットシート又は両面テープが貼り付けられるべきシート領域又はテープ領域が形成されていることを特徴とする請求項１〜３のいずれかに記載のフォトフレーム。
【考案の詳細な説明】
【技術分野】
【０００１】
本考案は、フォトフレーム、より詳しくは見栄えよく壁面等に取り付けることができるフォトフレームに関するものである。
【背景技術】
【０００２】
特許文献１に代表されるように、フォトフレーム内に収められる写真は壁面に飾られた際に裏側となる部分から出し入れされる。このため、写真を入れ替える際は一旦壁面からフォトフレームを取り外し、裏面の蓋を取り外し、写真を入れ替えて再び蓋をして壁面に飾る必要がある。この一連の動作が面倒であるため、写真を入れ替える機会を逸することが日常生活において多々ある。また、壁面にフォトフレームを取り付ける際は予めフック等を壁面に埋め込んでおいて、このフックに紐やチェーン等を引っかけてフォトフレームを吊り下げる。特許文献１に記載のフォトフレームもそのような紐やチェーンを取り付けるための吊り下げ金具が備わっている。
【０００３】
しかしながら、このようなチェーン等が露出していることは見栄えの悪化を招いている。フォトフレームは写真が収納された状態でそのまま壁面に取り付けられている、すなわち壁面にくっつきながらあたかも宙に浮いているかのように取り付けられている方が見栄えがよい。
【先行技術文献】
【特許文献】
【０００４】
【特許文献１】実用新案登録第３１４８２７１号公報
【考案の概要】
【考案が解決しようとする課題】
【０００５】
本考案は、上記従来技術を考慮したものであり、写真の交換作業がやりやすく、さらに壁面に取り付けた際に見栄えよく取り付けることができるフォトフレームを提供することを目的とする。
【課題を解決するための手段】
【０００６】
前記目的を達成するため、本考案では、写真が展示される側を前側とし、その裏を後側とするフレーム本体と、該フレーム本体を形成し、前後方向にそれぞれ並べて配されている前層、中層、後層と、前記前層の略中央部を貫通して形成され、前記写真の出し入れを行うための開口部と、前記中層の略中央部を貫通して前記開口部よりも拡大して形成され、前記写真を収容するための収容部と、前記中層の周縁部を切欠いて形成され、前記フレーム本体が取り付けられるべき取り付け面に固定するための取り付け治具の一部を受容する受容部と、前記後層を切欠いて前記受容部と連通する導入部とを備えたことを特徴とするフォトフレームを提供する。
【０００７】
好ましくは、前記受容部及び導入部は、前記中層及び後層の外縁よりも内側に形成されている。
【０００８】
好ましくは、前記導入部は、前記受容部に受容された前記取り付け治具の一部を前記フレーム本体の後ろ側から覆う覆い片を有している。
【０００９】
好ましくは、前記後層の前記フレーム本体に対する背面には、マグネットシート又は両面テープが貼り付けられるべきシート領域又はテープ領域が形成されている。
【考案の効果】
【００１０】
本考案によれば、開口部から写真を収容部に入れ込むことができるので、フレーム本体の前側から写真の交換作業を行うことができる。このため、フレーム本体を壁面等の取り付け面に取り付けた状態で写真の交換作業を行うことができ、写真の交換作業がやりやすくなる。また、取り付け治具の一部（例えば画鋲のヘッド部）を導入部から入れ込んで受容部に受容させることで、取り付け治具がフレーム本体の前側から視認されなくなる。このため、取り付け面（壁面）にフレーム本体を取り付けた際に見栄えがよくなる。
【００１１】
また、受容部及び導入部を中層及び後層の外縁よりも内側に形成することで、フレーム本体の側面側からこれらの受容部及び導入部が視認されることはなくなるので、フレーム本体として見栄えをよくすることができる。
【００１２】
また、受容部に受容された取り付け治具の一部（例えば画鋲のヘッド部）をフレーム本体の後側から覆う覆い片を設けることで、この覆い片がヘッド部を押さえることになり、ヘッド部が受容部から抜けてしまうことを防止できる。このため、フレーム本体が取り付け面に取り付けられた状態から落下することを防止できる。
【００１３】
また、後層の背面にシート領域及びテープ領域を設けることで、種々の材質からなる取り付け面に対して最適な取り付け方法によりフレーム本体を取り付けることができる。
【図面の簡単な説明】
【００１４】
【図１】本考案に係るフォトフレームを前面側から視たときの概略斜視図。
【図２】前板（前層）の概略斜視図。
【図３】中板（中層）の概略斜視図。
【図４】後板（後層）の概略斜視図。
【図５】本考案に係るフォトフレームを後面側から視たときの概略斜視図。
【図６】フレーム本体の概略断面図。
【図７】写真を収容するときの概略説明図。
【図８】カバーを収容するときの概略説明図。
【図９】取り付け治具を受容部に受容させるときの概略説明図。
【図１０】取り付け治具が受容部に受容されたときの概略斜視図。
【図１１】他の後板の例を示す概略図。
【考案を実施するための形態】
【００１５】
図１に示すように、本考案に係るフォトフレーム１は、写真が展示される側を前側とし、その裏を後側としている。フォトフレーム１の後側の面は背面と称されることもある。フォトフレーム１は３枚の略平板形状の前板２、中板３、後板４を有している。これら前板２、中板３、後板４を前後方向にそれぞれ並べて重ねることでフレーム本体５を形成している。なお、これら前板２、中板３、後板４は一体として形成してもよい。フレーム本体５を形成した各板２、３、４は、重なることで層状となり、したがって前板２は前層、中板３は中層、後板４は後層としてそれぞれフレーム本体５の一部として機能する。
【００１６】
図２に示すように、前板２はその略中央部が貫通され、開口部６が形成されている。この開口部６からフレーム本体５内に写真が出し入れされる。したがって、開口部６の大きさは写真が出し入れできる大きさであればどのような大きさでもよい。写真が出し入れできるとは、写真の外形寸法よりも大きくてもよいし、写真を少し湾曲させて出し入れできるのであれば写真の外形寸法よりも多少小さくてもよい。例えばＬ判の写真を収容するのであれば、Ｌ判の写真の大きさは縦×横が８９ｍｍ×１２７ｍｍであるが、開口部６の大きさは縦×横が８７ｍｍ×１２８ｍｍであることが好ましい。この大きさにすれば、Ｌ判の写真を縦方向に少し湾曲させるだけで開口部６を通すことができる。２Ｌ判であれば、２Ｌ判の写真の大きさは縦×横が１２７ｍｍ×１７８ｍｍであるが、開口部６の大きさは縦×横が１２５ｍｍ×１７９ｍｍであることが好ましい。
【００１７】
図３に示すように、中板３はその略中央部が貫通され、収容部７が形成されている。この収容部７の大きさは開口部６よりも拡大して形成されている。拡大というのは縦×横の長さにおいて開口部６よりも同等以上ということであり、縦又は横のいずれかの長さが同一長さでも他方が長ければ拡大ということになる。すなわち、上記Ｌ判の写真を収容する場合、収容部７は縦×横で９０ｍｍ×１２８ｍｍが好ましく、２Ｌ判では１２８ｍｍ×１７９ｍｍが好ましい。いずれも、上述した開口部６とは横の長さが等しく、縦の長さが収容部７の方が長い。この収容部７にはフレーム本体５内に収容されるべき写真が収容される。
【００１８】
また一方で中板３には、受容部８がその周縁部を切欠いて形成されている。具体的には、中板３の左右両側縁側に略円柱形状の貫通孔として受容部８が形成されている。この受容部８には、フレーム本体５が取り付けられるべき取り付け面に固定するための取り付け治具の一部が受容される（後述）。なお、この受容部８は中板３の外縁を含んで切欠かれて形成されていてもよいが、図３のように外縁よりも内側に形成することで、フレーム本体５の側面側からこの受容部８が視認されることはなくなるので、フレーム本体５として見栄えをよくすることができる。
【００１９】
図４に示すように、後板４には上述した前板２や中板３のように略中央部に貫通孔は設けられていない。これは、収容部７に収容された写真を後側から押さえるためである。一方で、後板４には導入部９が形成されている。この導入部９は後板４を貫通し、中板３の受容部８と連通する位置に設けられている。したがって図５に示すように、前板２、中板３、後板４を重ねてフレーム本体５としたときに、これを背面側から視ると導入部９から受容部８を臨むことができる。なお、この導入部９も受容部８と同様に、後板４の外縁よりも内側に形成されていれば、フレーム本体５の側面側からこの導入部９が視認されることはなくなるので、フレーム本体として見栄えをよくすることができる。ただし、特に見栄えを気にしなくてよいのであれば後板４の外縁（側縁）を含んで切欠いて導入部９を形成してもよい。
【００２０】
上記のように収容部７の縦の長さを開口部６よりも長くした場合、図６に示すように、側面からの断面では収容部７が開口部６に比べて大きくなる。主要部７に収容された写真１０は後板４にその背面を押さえられ、前面側には透明フィルム等のカバー１１が配される。なお、本考案においては収容部７に収容する物は写真１０に限らず、書画等の平面装飾物であればどのような物でもよい。
【００２１】
例えば写真１０を収容部７に収容する際は、図７に示すようにまず写真１０の下端を開口部６を通して収容部７内に挿入する。そして写真１０の上側を少し湾曲させて（図７の点線）上端を開口部６に通し、収容部７に入れ込む。カバー１１は写真１０が収容部７に収容された状態で同様の操作にて入れ込む（図８参照）。したがって、カバー１１は開口部６に出し入れ可能な大きさであればどのような大きさでもよいが、写真１０を前面側から覆って写真１０を保護する観点からいえば写真１０の外形寸法と同等かそれ以上が好ましい。
【００２２】
このようなフレーム本体５（フォトフレーム１）を壁面等の取り付け面に取り付ける際、画鋲のような取り付け治具１２が用いられる。図９に示すように、取り付け治具１２は取り付け面に挿入されるべき針部１２ａとヘッド部１２ｂとから形成されている。ヘッド部１２ｂをフレーム本体５の背面側から導入部９に向けて斜めにして入れ込むことにより、導入部９と連通している受容部８にヘッド部１２ｂは収容される。すなわち、ヘッド部１２ｂが有する円板形状が受容部８に完全に収まる。これにより、針部１２ａはフレーム本体５の背面側に向けて延びた状態となる。
【００２３】
このとき、導入部９には覆い片１３が形成されていて、この覆い片１３がヘッド部１２ｂを押さえる（図１０参照）。すなわち、覆い片１３は受容部８に受容された取り付け治具１２の一部であるヘッド部１２ｂをフレーム本体５の後ろ側から覆い、ヘッド部１２ｂが受容部８から抜けてしまうことを防止している。このように覆い片１３にてヘッド部１２ｂを押さえることにより、ヘッド部１２ｂが受容部８から抜けてしまうことを防止し、フレーム本体５が取り付け面に取り付けられた状態から落下することを防止できることになる。
【００２４】
このように、取り付け治具１２の一部（例えば画鋲のヘッド部１２ｂ）を導入部９から入れ込んで受容部８に受容させることで、取り付け治具１２がフレーム本体５の前側から視認されなくなる。このため、取り付け面（壁面等）にフレーム本体５を取り付けた際にこの取り付け治具１２が視認されることはなく、フォトフレーム１が取り付け面に対して宙に浮いて取り付けられているかのように視認でき、見栄えがよくなる。
【００２５】
また、本考案のフォトフレーム１は開口部６から写真１０を収容部７に入れ込むことができるので、フレーム本体５の前側から写真１０の交換作業を行うことができる。このため、フレーム本体５を壁面等の取り付け面に取り付けた状態で写真１０の交換作業を行うことができ、写真１０の交換作業がやりやすくなる。
【００２６】
さらに好ましくは、図１１に示すように、後板４の背面に、マグネットシート１４又は両面テープ１５が貼り付けられるべきシート領域１６又はテープ領域１７が形成されていてもよい。このように後板４の背面にシート領域１６及びテープ領域１７を設けることで、種々の材質からなる取り付け面に対して最適な取り付け方法によりフレーム本体５を取り付けることができる。例えばシート領域１６にマグネットシート１４を設けた場合には、磁性を帯びた材質からなる取り付け面に対してフレーム本体５を取り付けることができる。この場合においてのマグネットシート１４はフレーム本体５の前面から視認されることはなく、見栄えが損なわれることはない。また、例えばテープ領域１７に両面テープ１５を設けた場合には、画鋲等で穴をあけたくない壁面等に貼り付けて取り付けることができる。この場合においての両面テープ１５はフレーム本体５の前面から視認されることはなく、見栄えが損なわれることはない。
【符号の説明】
【００２７】
１：フォトフレーム、２：前板（前層）、３：中板（中層）、４：後板（後層）、５：フレーム本体、６：開口部、７：収容部、８：受容部、９：導入部、１０：写真、１１：カバー、１２：取り付け治具（画鋲）、１２ａ：針部、１２ｂ：ヘッド部、１３：覆い片、１４：マグネットシート、１５：両面テープ、１６：シート領域、１７：テープ領域
【図１】
0003196195.tif 000003
【図２】
0003196195.tif 000004
【図３】
0003196195.tif 000005
【図４】
0003196195.tif 000006
【図５】
0003196195.tif 000007
【図６】
0003196195.tif 000008
【図７】
0003196195.tif 000009
【図８】
0003196195.tif 000010
【図９】
0003196195.tif 000011
【図１０】
0003196195.tif 000012
【図１１】
0003196195.tif 000013